(57)【要約】      （修正有）【課題】構造が簡単で安全な、低コスト且つ強度を増加した口腔用体操装置を提供する。【解決手段】支持本体１０及び握柄１１を有し、支持本体は上支持部１００と下支持部１０１を有し、上支持部と下支持部は互いに対応し、接続して環状体を形成し、支持本体内に収容空間１０３を有する。握柄は相対応する第一端及び第二端を有し、第一端が支持本体に接続固定され、第二端は握持部１１１０を有する。収容空間には複数の強化リブ１０４を備え、各強化リブが第三端及び第四端を備える。第三端は上支持部に接続固定され、第四端は下支持部に接続固定される。強化リブを設置することで、口腔体操装置を口腔内に入れて噛み合わせを行なう際に、弾性強度が増加する。【選択図】図１Ａ
0003184592.tif 000002
【実用新案登録請求の範囲】
【請求項１】
口腔体操装置であって、
上支持部及び下支持部を備え、前記上支持部と前記下支持部が円弧状であって、且つ互いに相対し、前記上支持部と前記下支持部が連結して、内部に収容空間を有する環状体を形成する支持本体と、
相対応する第一端と第二端を有し、前記第一端は前記支持本体に接続固定され、前記第二端は握持部を有する握柄と、を備え、
前記収容空間内に複数の強化リブを有し、各前記強化リブが第三端及び第四端を有し、前記第三端が前記上支持部に接続固定され、前記第四端が前記下支持部に接続固定され、前記支持本体及び前記強化リブの材質がシリコンであることを特徴とする、
口腔体操装置。
【請求項２】
口腔体操装置であって、
上支持部、下支持部及び一対の側面支持部を有し、前記上支持部と前記下支持部が円弧状を呈し且つ互いに相対して、前記上支持部と前記下支持部が前記一対の側面支持部により接続されて環状体を形成し、内部に収容空間を有する支持本体と、
相対応する第一端と第二端とを有し、前記第一端が前記支持本体に接続固定され、前記第二端が自由端である、握持に用いる耳部と、を有し、
前記収容空間が更に複数の強化リブを有して、各前記強化リブが第三端及び第四端を有し、前記第三端が前記上支持部に接続固定され、前記第四端が前記下支持部に接続固定され、前記支持本体及び前記強化リブの材質がシリコンであることを特徴とする、
口腔体操装置。
【考案の詳細な説明】
【技術分野】
【０００１】
本考案は、口腔用体操装置に関し、特に構造が簡単で、低コスト且つ強度を増加した口腔用体操装置に関する。
【背景技術】
【０００２】
癌はこれまで人類にとって悪夢の一つであったが、医学が発達した現代においては、多くの癌は早期発見、早期治療をすれば全治する可能性がある。口腔癌もその一つである。
口腔癌患者によっては病状の後期において、口腔内に繊維化現象が現れ、上下の顎を正常な程度に開合することができず、重大な場合には完全に閉じてしまい、日常生活及び食物の摂取に重大な影響を及ぼす事がある。従って、治療の過程において、持続的な口腔運動によるリハビリ治療は大変重要である。このほか、多くのその他病症でも口腔のリハビリ体操が必要であり、例えば顔面手術後の患者などは、持続性のある口腔リハビリ体操で回復の速度を上げることができる。
また、近年は、美容医学の話題が活発になっており、人々の顔面筋肉のラインに対する要望が高まり、適度なフェイス体操により顔面の筋肉ラインをシェイプして、より完璧なフェイスラインを達成しようとする動きが多くなり、口腔体操の重要性が更にクローズアップされている。
【０００３】
現在使用されている口腔体操器具は、医師によりよく使われている「舌押し板」であり、木材からなり、患者がリハビリ体操をする場合には、一片又は複数の舌押板を口腔内に入れ、上下に動かすことで口腔を広げる。
このような方法は、使用には便利であるが、木材は固い材質であり、口腔内の組織を傷つけ易く、力が強すぎると裂傷を起こして口腔組織を傷つけるので、ある程度の危険性がある。
【０００４】
上記の問題に鑑みて、現在の口腔体操器具にある欠点を改良し、使用者がより便利に使用でき、更に安全性と体操効果を持つと同時に、コストが安く、破損しにくい口腔体操器具を提供することが、この業界でめざす目標である。
【考案の概要】
【考案が解決しようとする課題】
【０００５】
上記の問題を克服するため、本考案は口腔体操装置を提供する。
本考案の主な目的は、口腔体操装置であって、支持本体が有する強化リブにより口腔体操装置が弾性強度をもち、使用者が口腔の噛み合わせを行なうと、より高い運動の効果を達成する口腔体操装置を提供することである。
【０００６】
本考案の別の目的は、口腔体操装置であって、支持本体が人体に無害であるシリコン、例えば食用シリコン又は医療用シリコンなどで作成され、口腔に挿入して使用しても、安全性および無毒性を有し、更に低コストでより耐性のある口腔体操装置を提供することである。
【課題を解決するための手段】
【０００７】
一実施例において、本考案の口腔体操装置は、支持本体と握柄を備える。前記支持本体は、上支持部と下支持部を有し、上支持部と下支持部は円弧状で互いに対向し、上支持部と下支持部が連結して環状体を形成し、支持本体内に収容空間を有する。
握柄は相対する第一端と第二端とを有し、第一端は支持本体に接続固定され、第二端は握持部を有する。
このうち、収容空間内には複数の強化リブが設けられ、各強化リブは第三端および第四端を有する。第三端は上支持部に接続固定し、第四端は下支持部に接続固定される。
【０００８】
別の実施例において、本考案の口腔体操装置は、支持本体と握持用の耳部を有する。支持本体は上支持部と、下支持部および側面支持部とを有し、上支持部と下支持部は互いに対向する円弧状を呈している。上支持部と下支持部は、側面支持部により接続されて環状体を形成し、支持本体内には収容空間を有する。耳部は対応する第一端と第二端を有し、第一端は支持本体に接続固定され、第二端は自由端である。
収容空間はさらに複数の強化リブを備え、各強化リブは第三端および第四端を有し、第三端は上支持部と接続固定し、第四端は下支持部に接続固定する。
【０００９】
また別の実施例においては、本考案の口腔体操装置は、支持本体と握持部を有する。支持本体は、少なくとも上支持部と下支持部を有し、上支持部と下支持部は互いに対向して円弧状を呈している。
また、支持本体は環状体を形成し、内部に収容空間を有する。握持部は対応する第一端と第二端とを有し、第一端は支持本体に接続固定され、第二端は自由端である。前記収容空間内には複数の強化リブを備え、各強化リブは環状体の内表面に連結している。  
【考案の効果】
【００１０】
本考案の口腔体操装置は、従来の口腔体操器具と比較して、製造コストを節減できるだけでなく、使用上より安全で無毒である。さらに強化リブを有するので、口腔体操装置がさらに弾性強度を有し、使用者が口腔の噛合せを行なうときに、より高い運動の効果を達成することができる。
【図面の簡単な説明】
【００１１】
【図１Ａ】本考案の実施例である口腔体操装置の全体を示す立体図。
【図１Ｂ】本考案の実施例である口腔体操装置の背面を示す平面図。
【図１Ｃ】本考案の実施例である口腔体操装置の左側面を示す平面図。
【図２Ａ】本考案の別の実施例である口腔体操装置を示す立体上面図。
【図２Ｂ】本考案の別の実施例である口腔体操装置の支持本体の背面を示す平面図。
【図２Ｃ】本考案の別の実施例である口腔体操装置の左側面を示す平面図。
【考案を実施するための形態】
【００１２】
本考案は口腔体操装置であって、利用した口腔体操装置の機能や使用の原理については、関連技術分野において通常の知識を有する者であれば理解できるので、以下の説明では詳細な描写はしない。
また、以下の文中で参照する図面は、本考案の特徴に係る略図であって、実際の情況の完全な製図ではない。
【００１３】
まず、図１Ａおよび図１Ｂを参照する。本考案の実施例である口腔体操装置１を示す。本実施例における口腔体操装置１は、主に支持本体１０と握柄１１とを有する。支持本体１０は上支持部１００と下支持部１０１を有し、前記上支持部１００と下支持部１０１はそれぞれ円弧状構造であって、上支持部１００と下支持部１０１は互いに対向し、且つ互いに接続して環状構造又は環状体を形成する。
また、環状構造内に前後に貫通する収容空間１０３を有する。上支持部１００と下支持部１０１は異なる部材を互いに接合してもよいし、又は射出一体成形により接合してもよく、ここでは特に制限しない。握柄１１は長い扁平状で且つ弾性を有し、握柄１１は対応する第一端１１０と第二端１１１を有する。前記第一端１１０は支持本体１０上に接合し、接合部は上支持部１００又は下支持部１０１でもよい。第二端１１１は握持部１１１０を有し、握持部１１１０の一端は自由端である。
握持部１１１０は握柄１１の一部分であり、握持部１１１０と握柄１１が一体成形されて設置されてもよい。又は、握持部１１１０と握柄１１が互いに独立した二つの部材であってもよい。握柄１１と支持本体１０はともに互いに二つの部材を接続して設置してもよいし、又は一体成形で設置してもよく、ここでは特に制限しない。
【００１４】
更に、図１Ａおよび図１Ｂを参照する。本考案の実施例における口腔体操装置１の支持本体１０が形成する収容空間１０３は、さらに複数の強化リブ１０４を有する。これら強化リブ１０４は、一定間隔で互いに平行に設置され、強化リブ１０４の形状は、扁平板状、長方形状、シート状などでよく、数量にも特に制限は無い。
各強化リブ１０４は対応する第三端１０４０および第四端１０４１を有し、第三端１０４０は上支持部１００に、第四端１０４１は下支持部１０１に接続固定されている。主に支持本体１０の環状体の内表面上に接続固定され、各強化リブ１０４は収容空間１０３に間隙を作り、間隙の幅はとくに制限しない。
このほか、上支持部１００、下支持部１０１および強化リブ１０４は異なる部材を接続して一体としてもよいし、一体成形で設置してもよく、ここでは特に制限されない。
【００１５】
図１Ａと１Ｃを参照する。本考案の実施例による口腔体操装置１の支持本体１０および強化リブ１０４はシリコン、とくに人体に無害であるシリコン、例えば食用シリコンや医療用シリコンで製造され、使用者が口腔体操を行なう際に、支持本体１０を口腔に入れ、上下顎の反複で噛み合わせを行なって、口腔体操の目的を達成する。
支持本体１０は強化リブ１０４を設置しているので、使用者がかみ合わせを行なう際に、強化リブ１０４の弾性により運動効果をより顕著にする。噛み合わせの際には、強化リブ１０４が圧力を受けるとともに、両側に向かって湾曲し、非破壊性の変形が起こり、噛み合わせの力を放すと、シリコン自体が弾性を持つので、もとの圧力を受けない状態に回復する。
使用者が口腔の噛み合わせ運動を行なう際、支持本体１０を口腔に入れると、握柄１１が自然に下に向かって湾曲して弧状を呈する。そのため、使用者が指で握持部１１１０を押さえるだけで、握持部１１１０が口腔体操装置１の挿入・取出しを制御することができ、口腔体操装置１がすべってのどに落ちるおそれがない。
【００１６】
図２Ａおよび２Ｂを参照する。本考案の別の実施例による口腔体操装置２である。本実施例の口腔体操装置２は、主に、支持本体２０及び耳部２１を有する。支持本体２０は、上支持部２００、下支持部２０１及び一対の側面支持部２０２を有し、上支持部２００と下支持部２０１及び側面支持部２０２がそれぞれ円弧状構造を有する。上支持部２００と下支持部２０１は互いに対応し、一対の側面支持部２０２も互いに対応する。
上支持部２００、下支持部２０１及び側面支持部２０２は互いに接続して一つの環状構造または環状体を形成し、且つ環状構造内に前後に貫通する収容空間２０３を有する。上支持部２００、下支持部２０１及び側面支持部２０２は異なる部材を互いに接続してもよいし、射出一体成形でもよく、ここでは特に制限しない。
耳部２１は握持機能を有し、扁平な舌状を呈して、相対応する第一端２１０及び第二端２１１を有する。第一端２１０は支持本体２０上に接続固定され、上支持部２００、下支持部２０１又は側面支持部２０２を固定箇所としてもよい。第二端２１１は自由端であり、自由端にはその他の異なる部材を接続してもよい。このほか、耳部２１と支持本体２０は互いに異なる二つの部材を接続して設置してもよいし、一体成形により設置してもよく、ここでは特に制限しない。
【００１７】
続いて図２Ａ及び２Ｂを参照する。本考案の別の実施例による口腔体操装置２の支持本体２０が形成する収容空間２０３は、更に複数の強化リブ２０４を備え、これら強化リブ２０４は一定間隔で互いに平行に設置され、強化リブ２０４の形状は扁平板状、長方形上又はシート状でもよく、且つ数量についても特に制限されない。
各強化リブ２０４は対応する第三端２０４０及び第四端２０４１を有し、本実施例において、第三端２０４０は上支持部２００に接続して固定され、第４端２０４１は下支持部２０１に接続して固定されており、主に支持本体２０の環状体の内表面上に固定される。
また、別の実施例においては、前記第三端２０４０及び第４端２０４１は対応する側面支持部２０２に固定して接続され、各強化リブ２０４は収容空間２０３に間隙を作るが、間隙の幅については特に制限しない。このほか、上支持部２００、下支持部２０１、側面支持部２０２及び強化リブ２０４は異なる部材を接続して一体にしてもよいし、又は一体成形で設置してもよく、ここでは特に制限しない。
【００１８】
図２Ａ及び図２Ｃを参照する。本考案の別の実施例における口腔体操装置２の支持本体２０及び強化リブ２０４は、シリコン、特に人体に無害な食用シリコン又は医療用シリコンなどのシリコンから成る。使用者が口腔体操を行なうとき、支持本体２０を口腔内に入れ、上下顎の反復によりかみ合わせを行なって口腔の運動を達成する。
支持本体２０が強化リブ２０４を有するので、使用者が噛み合わせを行なうとき、強化リブ２０４の弾性が強化され、運動効果が更に明確になる。噛み合わせる際に、強化リブ２０４が圧力を受けると両側に向かって湾曲して非破壊性の変形を生じ、噛み合わせの力を放すと、シリコン自体が弾性を持つので、もとの圧力を受けない状態に回復する。
使用者が口腔のかみ合わせ体操を行なう時は、支持本体２０を口腔内に入れ、使用者が指で耳部２１を押さえるだけで、口腔体操装置２の挿入・取出し動作を制御でき、口腔体操装置２がすべり、のどに落ちるおそれがない。
【００１９】
本考案による口腔体操装置は使用が簡便なだけでなく、製作コストが低く、且つ口腔体操装置は全体がシリコン、特に人体に無害な食用若しくは医療用シリコンで製造されているため、口腔内に入れても安全に問題がなく、更に強化リブの設置により口腔体操が更に効果的になり、リハビリ及び口腔体操が必要な患者の体操を助けることができ、また口腔体操により顔の筋肉ラインを整えることもできる。
【００２０】
以上、本考案の実施例について、図面を参照して詳述してきたが、具体的な構成は、この実施例に限られるものではなく、本考案の要旨を逸脱しない範囲の設計変更等があっても、本考案に含まれる。    
【符号の説明】
【００２１】
１、２              口腔体操裝置
１０、２０          支持本体
１００、２００      上支持部
１０１、２０１      下支持部
１０３、２０３      収容空間
１０４、２０４      強化リブ
１０４０、２０４０  第三端
１０４１、２０４１  第四端
１１                握柄
１１０、２１０      第一端
１１１、２１１      第二端
１１１０            握持部
２０２              側面支持部
２１                耳部
【図１Ａ】
0003184592.tif 000003
【図１Ｂ】
0003184592.tif 000004
【図１Ｃ】
0003184592.tif 000005
【図２Ａ】
0003184592.tif 000006
【図２Ｂ】
0003184592.tif 000007
【図２Ｃ】
0003184592.tif 000008